(57)【特許請求の範囲】
【請求項１】
ベース板と、
入力装置を取付ける取付部を有するチルト板と、
前記ベース板の一の端部に配置され、前記チルト板を回動可能に支持する蝶番とを備えたチルト機構付支持装置において、
前記チルト板の、前記蝶番の回動中心軸の直交方向の前端部および後端部を、Ｌ字状に曲折して形成された前板および後板と、
前記チルト板の、前記蝶番の回動中心軸の直交方向に沿った両側の側縁部を、Ｌ字状に曲折して形成された側板と、
前記側板の先端部を曲折させて形成されたＵ字曲げ部と、
前記側板の前記取付部側に形成された複数の呼込み溝と、
前記呼込み溝の口元の端面と、前記Ｕ字曲げ部の前記取付部側の面との間で形成された移動溝と、
前記ベース板に取付けられた支点シャフトと、
前記支点シャフトにアームを介して回動可能に支持され、前記呼込み溝および前記移動溝に遊嵌するロックバーと、
前記ロックバーを、前記チルト板の前端部の方向に付勢するバネ部材とを設け、
前記ロックバーを前記呼込み溝に係止させて、前記チルト板の傾斜姿勢を段階的に変化させることを特徴とするチルト機構付支持装置。
【請求項２】
請求項１において、
前記ロックバーの一端の視認可能な位置に、グリップを設けたことを特徴とするチルト機構付支持装置。
【請求項３】
請求項１または請求項２において、
前記ベース板の、前記蝶番の回動中心軸の直交方向に沿った両側の側縁部に、前記チルト板の前記Ｕ字曲げ部の逃げ部を設けたことを特徴とするチルト機構付支持装置。
【請求項４】
請求項１ないし請求項３のいずれか一項において、
前記ベース板の隅部および前記支点シャフトの下方に、同じ高さの支持体を配置したことを特徴とするチルト機構付支持装置。
【発明の詳細な説明】
【技術分野】
【０００１】
本発明は、タッチパネルを有する入力装置や操作盤等の平面状の入力装置の傾斜姿勢を、段階的に変化させて保持するチルト機構付支持装置に関する。
【背景技術】
【０００２】
従来のチルト機構付支持装置は、電子楽器用の操作盤からなるチルト板を、ベース板の一の端部に設けられたヒンジで回動可能に支持すると共に、チルト板の裏面にコの字状の板部材からなるステーを回動可能に装着し、ベース板の両側縁に設けたラック状の係止溝にステーの両側片部の先端を係止させ、チルト板の傾斜姿勢を段階的に変化させて保持している。
【０００３】
また、ヒンジの回動中心を摩擦ワッシャやネジの締付力による摩擦力で保持して、または蝶番の回動中心に、互いに噛合う外歯リングと内歯リングを設けて傾斜姿勢を段階的に保持しているものもある（例えば、特許文献１参照。）。
【特許文献１】特開平５−２７７６４号公報（段落０００９−００１１、００１７−００２２、第１図、第４−６図）
【発明の開示】
【発明が解決しようとする課題】
【０００４】
しかしながら、上述した従来の技術においては、ヒンジで回動可能に支持されたチルト板を、その裏面に装着した板状のステーの両側片部の先端をラック状の係止溝に係止させて、またはヒンジの回動中心を、摩擦力等を利用した各種の機構で保持して傾斜姿勢を段階的に変化させているため、チルト板に重量の重い平面状の入力装置、例えば大型画面にタッチパネルを設けた入力装置や、押ボタンを複数設けた操作盤等を取付けると、タッチパネルによる入力時や押ボタンの押圧時に、入力装置の重量に加えて入力時の押圧力を支えることが必要になり、剛性感が不足して、入力装置や操作盤を片手で支えながら他の手で入力作業を行わなければならず、マニュアル等の書類の記載内容を確認しながら入力する場合等に、入力作業における作業性が低下するという問題がある。
【０００５】
本発明は、上記の問題点を解決するためになされたもので、比較的重量の重い入力装置であっても、剛性感を保ったまま傾斜姿勢を段階的に変化させて保持する手段を提供することを目的とする。
【課題を解決するための手段】
【０００６】
本発明は、上記課題を解決するために、ベース板と、入力装置を取付ける取付部を有するチルト板と、前記ベース板の一の端部に配置され、前記チルト板を回動可能に支持する蝶番とを備えたチルト機構付支持装置において、前記チルト板の、前記蝶番の回動中心軸の直交方向の前端部および後端部を、Ｌ字状に曲折して形成された前板および後板と、前記チルト板の、前記蝶番の回動中心軸の直交方向に沿った両側の側縁部を、Ｌ字状に曲折して形成された側板と、前記側板の先端部を曲折させて形成されたＵ字曲げ部と、前記側板の前記取付部側に形成された複数の呼込み溝と、前記呼込み溝の口元の端面と、前記Ｕ字曲げ部の前記取付部側の面との間で形成された移動溝と、前記ベース板に取付けられた支点シャフトと、前記支点シャフトにアームを介して回動可能に支持され、前記呼込み溝および前記移動溝に遊嵌するロックバーと、前記ロックバーを、前記チルト板の前端部の方向に付勢するバネ部材とを設け、前記ロックバーを前記呼込み溝に係止させて、前記チルト板の傾斜姿勢を段階的に変化させることを特徴とする。
【発明の効果】
【０００７】
これにより、本発明は、チルト板に重量の重い平面状の入力装置を取付けたとしても、バネ部材の付勢力を利用して、呼込み溝からのロックバーの脱落を防止しながら、剛性感を保ったまま傾斜姿勢を段階的に変化させて保持することができ、タッチパネル等による入力時における片手作業を可能にして、入力作業における作業性を向上させることができると共に、ロックバーを用いた傾斜姿勢の変更時における操作性を向上させることができるという効果が得られる。
【発明を実施するための最良の形態】
【０００８】
以下に、図面を参照して本発明によるチルト機構付支持装置の実施例について説明する。
【実施例】
【０００９】
図１は実施例のチルト機構付支持装置の側面を示す説明図、図２は実施例の入力装置の外観を示す説明図、図３は実施例のチルト機構付支持装置の全閉状態の傾斜姿勢を示す説明図、図４は実施例のチルト機構付支持装置の全開状態の傾斜姿勢を示す説明図、図５は図４のチルト板を除いた状態を示す説明図、図６は実施例の呼込み溝の拡大形状を示す説明図である。
【００１０】
図１において、１は入力装置であり、図２に示すように、比較的大型のＬＣＤ等の表示画面１ａのおもて面にタッチパネルが設けられた、比較的重量の重い（例えば８〜１０ｋｇ程度）平面状の入力装置であって、その底面には、入力装置１をチルト板５（後述）に固定するためのネジ穴２が複数設けられている。
３はチルト機構付支持装置であり、以下に示す構成を備えている。
【００１１】
４はチルト機構付支持装置３のベース板であり、合金鋼等の金属材料で形成された、比較的板厚の厚い矩形の板状部材である。
５はチルト機構付支持装置３のチルト板であり、合金鋼等の金属材料で形成された、比較的板厚の厚い矩形の板状部材であって、入力装置１のネジ穴２に螺合させるボルト等の締結部材を挿通させる挿通穴６（図３、図４参照）が複数形成された平面状の取付部７を有しており、ベース板４の一の端部の２箇所（図５参照）に配置された金属製の蝶番８により回動可能に支持されている。
【００１２】
１０は前板、１１は後板であり、チルト板５の、蝶番８の回動中心軸Ｃの直交方向の前端部および後端部を、取付部７から、そのベース板４側の面（取付部７の裏面という。）の方向にＬ字状に曲折して形成されており、チルト板５の回動中心軸Ｃ方向の剛性を高める機能を有している。
１２は側板であり、チルト板５の、蝶番８の回動中心軸Ｃの直交方向に沿った両側の側縁部を、取付部７から裏面側にＬ字状に曲折して形成されており、チルト板５の回動中心軸Ｃ方向の直交方向の剛性を高める機能を有している。
【００１３】
１３はＵ字曲げ部であり、図３に示すように、側板１２の先端部を、取付部７と反対側（この取付部７から離れる方向を外側ともいう。）にＬ字状に曲折させ、更にその先端部をＵ字状に折り返して形成されており、側板１２の回動中心軸Ｃ方向の直交方向の剛性を高める機能を有すると共に、その取付部７側の面がロックバー１４の案内面１３ａとして機能する。
【００１４】
１５は支点シャフトであり、ベース板４の、蝶番８の回動中心軸Ｃの直交方向に沿った両側の側縁部の中央部を切欠いて形成された、チルト板５のＵ字曲げ部１３の逃げ部１６の中央部に立設形成された支持板１７（図５参照）に回動自在に支持されてベース板４に取付けられており、対向する支持板１７の内側に固定された２本のアーム１８を介して、ロックバー１４を、支点シャフト１５を中心とした回動軌跡Ｋ（図１に示す２点鎖線）に沿って回動可能に支持している。
【００１５】
２２は呼込み溝であり、側板１２の取付部７側をロックバー１４を遊嵌させる幅で切欠いて複数（本実施例では、前端側の２２ａから後端側の２２ｄまでの４箇所）形成されている。
本実施例の呼込み溝２２は、図６に示すように、その口元２３（取付部７と反対側の開口をいう。）側に、チルト板５の後端側に傾斜した斜面２４ａ、２４ｂが形成されており、呼込み溝２２の口元２３の端面と、Ｕ字曲げ部１３の案内面１３ａとの間で形成された移動溝２６を移動するロックバー１４の進入を容易とするために、後端側の斜面２４ａを、前端側の斜面２４ｂより更に後端側に傾斜させて、口元２３が幅広となるように形成されている。
【００１６】
また、呼込み溝２２間のピッチは、前端側の呼込み溝２２ａから後端側の呼込み溝２２ｄまでの間で単調に拡大する不等ピッチで形成されており、回動軌跡Ｋに沿って回動するロックバー１４が、呼込み溝２２に係止されたときに、ベース板４とチルト板５との開き角がほぼ等角度ピッチで拡大するように構成されている。
２８はバネ部材としてのトーションスプリングであり、図５に示すように、一端をベース板４に設けられた係止穴２９に係止され、他端でアーム１８の、チルト板５の後端側の面を保持して支点シャフト１５に取付けられており、アーム１８を介してロックバー１４をチルト板５の前端部の方向に付勢する機能を有している。
【００１７】
なお、バネ部材を、一端をベース板４に固定した引張コイルスプリングとし、この引張コイルスプリングでロックバー１４またはアーム１８を、チルト板５の前端部の方向に付勢するようにしてもよい。
本実施例のロックバー１４は、その一端が、入力装置１から外側に突出するように形成されており、その先端の入力装置１側から視認可能な位置にグリップ３０が取付けられており、このグリップ３０を操作して、呼込み溝２２および移動溝２６に遊嵌するロックバー１４を移動させ、所望の呼込み溝２２に係止させる。
【００１８】
３２は支持体としてのゴム足であり、合成ゴム等の弾性材で円錐台状に形成されており、図５に示すように、ベース板４の４つの隅部、およびベース板４の支点シャフト１５の下方に配置されており、ベース板４のチルト板５の反対側の面（ベース板４の裏面という。）にネジ等の締結部材で取付けられている。
本実施例のゴム足３２は、全て同じ高さに形成されており、支点シャフト１５の下方に配置されたゴム足３２により、ベース板４の裏面側への撓みを防止している。
【００１９】
３４はストッパであり、合成ゴム等の弾性材で円錐台状に形成されて、ネジ等の締結部材でベース板４のおもて面に取付けられており、チルト板５の前板１０の先端を内側にＬ字状に曲折させて形成された当接部３５を係止して、チルト板５の傾斜姿勢が全閉状態（図３参照）のときの、入力装置１等の重量を支持する機能を有している。
このとき、ロックバー１４は、図３に示すように、前端側の呼込み溝２２ａの更に前端側の移動溝２６に形成された凹部２６ａに位置している。
【００２０】
上記の構成の作用について説明する。
チルト板５の挿通穴６に挿通させたボルト等により、取付部７のおもて面に入力装置１を固定したチルト機構付支持装置３を、図３に示す全閉状態の傾斜姿勢から、図４に示す全開状態の傾斜姿勢まで変化させる場合は、担当者は、入力装置１の前端部を持上げ、グリップ３０を操作して、移動溝２６の凹部２６ａに位置しているロックバー１４を、トーションスプリング２８の付勢力に抗して、前端部側の呼込み溝２２ａの後端部側まで引上げ、ロックバー１４を呼込み溝２２ａに噛合わせて係止させる。
【００２１】
このとき、ロックバー１４は、トーションスプリング２８によりチルト板５の前端部側に付勢されているので、呼込み溝２２ａの斜面２４ａをガイドにしてロックバー１４を呼込み溝２２に容易に噛合わせることができると共に、一旦噛合った後は、ロックバー１４はトーションスプリング２８の付勢力により呼込み溝２２ａの斜面２４ｂに押圧されているので、呼込み溝２２ａからのロックバー１４の脱落を防止することができる。
【００２２】
また、呼込み溝２２の口元２３に、後端側に傾斜する斜面２４ｂが設けられているので、誤ってグリップ３０等に身体が触れた場合においても、ロックバー１４の脱落を防止して、傾斜姿勢を一定に保持することができる。
これにより、入力装置１の表示画面１ａは、最も寝た傾斜姿勢の全閉状態から１段階起きた状態の傾斜姿勢に保持される。
【００２３】
更に傾斜姿勢を起す場合は、担当者は、入力装置１の前端部を持上げ、グリップ３０を操作して、呼込み溝２２ａに位置しているロックバー１４を、トーションスプリング２８の付勢力に抗して、後端部側の呼込み溝２２ｂの後端部側まで引上げ、ロックバー１４を呼込み溝２２ｂに噛合わせて係止し、全閉状態から２段階起きた状態の傾斜姿勢に保持する。
【００２４】
同様にして、ロックバー１４を、更に後端部側の呼込み溝２２ｃに係止して、図１に示す全閉状態から３段階起きた状態の傾斜姿勢に保持する。
そして、ロックバー１４を、更に後端部側の呼込み溝２２ｄに係止して、図４に示す最も起きた状態である全開状態の傾斜姿勢に保持する。
このようにして、本実施例のチルト機構付支持装置３を用いた、入力装置１の表示画面１ａの段階的な傾斜姿勢の変更が行われる。
【００２５】
この場合に、本実施例のチルト板５は、取付部７の周囲に前板１０、後板１１、側板１２を設けて剛性を高めると共に、２本のアーム１８を介して支点シャフト１５に支持されたロックバー１４を呼込み溝２２に噛合わせて強固に係止するので、チルト板５に重量の重い入力装置１を取付けたとしても、剛性感を保ったまま傾斜姿勢を段階的に変化させて保持することができ、タッチパネルによる入力時における片手による入力作業を可能にして、マニュアル等の書類を他の手に持って記載内容を確認しながら入力作業を行うことができ、入力作業における作業性を向上させることができる。
【００２６】
このことは、平面状の入力装置として、押ボタンを複数設けた比較的重量の重い操作盤等をチルト板５に取付けた場合においても同様である。
また、後端部側に異なる角度で傾斜する斜面２４ａ、２４ｂを設けて口元２３を幅広にした複数の呼込み溝２２に、トーションスプリング２８で前端部側に付勢され、視認可能な位置にグリップ３０を設けたロックバー１４を噛合わせて、チルト板５に固定した入力装置１の傾斜姿勢を段階的に変化させるので、チルト板５の側面等を覗き込まなくとも、呼込み溝２２に設けた斜面２４ａおよびトーションスプリング２８の付勢力を利用して、所望の呼込み溝２２にロックバー１４を係止させて入力装置１の傾斜姿勢を容易に変化させることができ、傾斜姿勢の変更時における操作性を向上させることができると共に、呼込み溝２２に一旦噛合ったロックバー１４の脱落を防止して、安定した入力作業を行うことができる。
【００２７】
更に、ロックバー１４の移動溝２６を、呼込み溝２２の口元２３の端面と、Ｕ字曲げ部１３の案内面１３ａとの間で形成してあるので、トーションスプリング２８で付勢されたロックバー１４を移動させるときに、案内面１３ａで操作力を支持して呼込み溝２２等の損傷を防止することができる。
更に、ベース板４の裏面の支点シャフト１５の下方に、ベース板４の隅部に設けたゴム足３２と同じ高さのゴム足３２を配置してあるので、ベース板４の隅部にゴム足３２を設けた場合における、ベース板４の剛性を強固に保つことができる。
【００２８】
更に、ベース板４の側縁部の中央部に、Ｕ字曲げ部１３の逃げ部１６を設けてあるので、チルト板５のＵ字曲げ部１３を用いて入力装置１の傾斜姿勢を変更する場合に、誤って傾斜姿勢を全閉付近まで寝かせてしまったとしても、指等がベース板４とＵ字曲げ部１３の間に挟まることはなく、傾斜姿勢の変更時における安全性を確保することができる。
以上説明したように、本実施例では、ベース板の一の端部に配置された蝶番を介して、入力装置を取付ける取付部を有するチルト板を回動可能に支持したチルト機構付支持装置において、チルト板の前端部、後端部および両側の側縁部に、取付部から裏面側にＬ字状に曲折させた前板、後板および側板を設け、その側板の先端部を曲折させてＵ字曲げ部を形成すると共に、側板に複数の呼込み溝と、その口元の端面とＵ字曲げ部の案内面との間で移動溝を形成し、ロックバーを、ベース板に取付けられた支点シャフトにアームを介して回動可能に支持すると共に、トーションスプリングによりチルト板の前端部の方向に付勢し、ロックバーを呼込み溝に係止させて、チルト板の傾斜姿勢を段階的に変化させるようにしたことによって、チルト板に重量の重い平面状の入力装置を取付けたとしても、トーションスプリングの付勢力を利用して、呼込み溝からのロックバーの脱落を防止しながら、剛性感を保ったまま傾斜姿勢を段階的に変化させて保持することができ、タッチパネル等による入力時における片手作業を可能にして、入力作業における作業性を向上させることができると共に、ロックバーを用いた傾斜姿勢の変更時における操作性を向上させることができる。
【図面の簡単な説明】
【００２９】
【図１】実施例のチルト機構付支持装置の側面を示す説明図
【図２】実施例の入力装置の外観を示す説明図
【図３】実施例のチルト機構付支持装置の全閉状態の傾斜姿勢を示す説明図
【図４】実施例のチルト機構付支持装置の全開状態の傾斜姿勢を示す説明図
【図５】図４のチルト板を除いた状態を示す説明図
【図６】実施例の呼込み溝の拡大形状を示す説明図
【符号の説明】
【００３０】
１    入力装置
１ａ  表示画面
２    ネジ穴
３    チルト機構付支持装置
４    ベース板
５    チルト板
６    挿通穴
７    取付部
８    蝶番
１０  前板
１１  後板
１２  側板
１３  Ｕ字曲げ部
１３ａ  案内面
１４  ロックバー
１５  支点シャフト
１６  逃げ部
１７  支持板
１８  アーム
２２、２２ａ〜２２ｄ  呼込み溝
２３  口元
２４ａ、２４ｂ  斜面
２６  移動溝
２６ａ  凹部
２８  トーションスプリング
２９  係止穴
３０  グリップ
３２  ゴム足
３４  ストッパ
３５  当接部
【図１】
0005014245.tif 000002
【図２】
0005014245.tif 000003
【図３】
0005014245.tif 000004
【図４】
0005014245.tif 000005
【図５】
0005014245.tif 000006
【図６】
0005014245.tif 000007